(57)【特許請求の範囲】
【請求項１】
ソース機器の種別を示すカテゴリコードが重畳されている情報データ信号を記録媒体に記録する情報データ信号記録装置であって、
前記情報データ信号から前記カテゴリコードを随時抽出するカテゴリコード抽出手段と、
前記カテゴリコード抽出手段によって抽出された前記カテゴリコードが変化した場合にトラックナンバーを１だけ増加せしめるトラックナンバー更新手段と、
前記情報データ信号及び前記トラックナンバーを前記記録媒体に記録する記録手段と、を有することを特徴とする情報データ信号記録装置。
【請求項２】
前記トラックナンバー更新手段は、前記情報データ信号の供給が途切れこれが所定時間内に復帰したときに前記カテゴリコード抽出手段によって抽出された前記カテゴリコードと、前記情報データ信号の供給が途切れる前に前記カテゴリコード抽出手段によって抽出された前記カテゴリコードとが異なる場合に前記トラックナンバーを１だけ増加せしめることを特徴とする請求項１記載の情報データ信号記録装置。
【請求項３】
ソース機器の種別を示すカテゴリコードが重畳されている情報データ信号を記録媒体に記録する情報データ信号の記録方法であって、
前記情報データ信号から前記カテゴリコードを随時抽出し、抽出した前記カテゴリコードが変化した場合にトラックナンバーを１だけ増加せしめ、
前記情報データ信号と共に前記トラックナンバーを前記記録媒体に記録することを特徴とする情報データ信号の記録方法。
【請求項４】
情報データ信号を記録媒体に記録する情報データ信号記録装置であって、
前記情報データ信号の供給が途切れこれが所定時間内に復帰しなかった場合には前記記録媒体に対する記録動作を強制的に停止せしめる記録停止制御手段を備えたことを特徴とする情報データ信号記録装置。
【請求項５】
前記情報データ信号はオーディオ信号であり前記オーディオ信号の供給が途切れこれが復帰するまでの間は、前記オーディオ信号に代わり無音に対応した無音オーディオ信号を前記記録媒体に記録することを特徴とする請求項４記載の情報データ信号記録装置。
【請求項６】
前記情報データ信号の供給が途切れこれが復帰するまでの間は、前記情報データ信号の供給が途切れる前に前記記録媒体に記録したトラックナンバーを引き続き前記記録媒体に記録することを特徴とする請求項４及び５記載の情報データ信号記録装置。
【請求項７】
前記情報データ信号にはソース機器の種別を示すカテゴリコードが重畳されており、
前記情報データ信号から前記カテゴリコードを随時抽出するカテゴリコード抽出手段と、
前記情報データ信号の供給が途切れこれが所定時間内に復帰した際に前記カテゴリコード抽出手段によって抽出された前記カテゴリコードと、前記情報データ信号の供給が途切れる前に前記カテゴリコード抽出手段によって抽出された前記カテゴリコードとが異なる場合に前記トラックナンバーを１だけ増加せしめるトラックナンバー更新手段と、を備えたことを特徴とする請求項４〜６記載の情報データ信号記録装置。
【請求項８】
情報データ信号を記録媒体に記録する情報データ信号の記録方法であって、
前記情報データ信号の供給が途切れこれが所定時間内に復帰しなかった場合には前記記録媒体に対する記録動作を強制的に停止せしめることを特徴とする情報データ信号の記録方法。
【請求項９】
前記情報データ信号にはソース機器の種別を示すカテゴリコードが重畳されており、
前記情報データ信号の供給が途切れこれが所定時間内に復帰した際に前記情報データ信号から抽出した前記カテゴリコードと、前記情報データ信号の供給が途切れる前に抽出された前記カテゴリコードとが異なる場合にトラックナンバーを１だけ増加せしめ、
前記情報データ信号と共に前記トラックナンバーを前記記録媒体に記録することを特徴とする請求項８記載の情報データ信号の記録方法。
【発明の詳細な説明】
【０００１】
【発明の属する技術分野】
本発明は、オーディオ信号又はビデオ信号の如き情報データ信号を記録媒体に記録する情報データ信号の記録装置に関する。
【０００２】
【背景技術】
現在、ＣＤ(Compact Disc)プレーヤ、又はＭＤ（Mini Disc）プレーヤ等の音楽ソースから再生出力されたシーケンシャルなディジタルオーディオ信号をＣＤ−Ｒ(Compact Disc - Recordable)にダビングすることが出来るオーディオ用のＣＤ−Ｒレコーダが製品化されている。
【０００３】
かかるＣＤ−Ｒレコーダにおいては、上記音楽ソースからディジタルオーディオ信号が供給開始されると、これを順次取り込んで所定の変調処理を施してからＣＤ−Ｒに記録する。更に、ＣＤ−Ｒレコーダは、このＣＤ−Ｒ上での曲番を示すトラックナンバーをも上記ＣＤ−Ｒに記録して行く。この際、ＣＤ−Ｒレコーダは、音楽ソースから供給されてきた上記ディジタルオーディオ信号中から所定期間以上の無音区間を検出した場合にこれを曲間とし、かかる曲間が検出された後、再び有音区間を検出する度に上記トラックナンバーを１だけ増加して行く。
【０００４】
又、近年、１つの筐体内にＣＤプレーヤ、ＭＤプレーヤ等の複数の音楽ソースを搭載したオーディオ装置が製品化されてきた。かかるオーディオ装置は、上記音楽ソース各々から供給されたディジタルオーディオ信号の内から、使用者によって選択された任意の１つを選択し、これをＤ／Ａ変換した後、スピーカにて音響出力させるようにしたものである。更に、かかるオーディオ装置として、上記の如く使用者によって選択されたディジタルオーディオ信号自体をそのまま外部出力するディジタル出力端子を備えたものが登場してきた。よって、かかるディジタル出力端子を介して上記オーディオ装置とＣＤ−Ｒレコーダとの接続を行ってダビングを行えば、このオーディオ装置に搭載されている複数の音楽ソースの内の任意の１つからＣＤ−Ｒへのダビングを行うことが可能となる。
【０００５】
ところが、このようなオーディオ装置からＣＤ−Ｒレコーダへのダビングを想定すると、使用者は、そのダビング中に音楽ソースをＣＤプレーヤからＭＤプレーヤ(又はＭＤプレーヤからＣＤプレーヤ)へと切り換えることが考えられる。つまり、使用者は、かかるオーディオ装置に搭載されているＣＤプレーヤ及びＭＤプレーヤを共に再生状態にしておき、先ず、ＣＤプレーヤを音楽ソースとして選択しておく。この間、ＣＤプレーヤから再生されたディジタルオーディオ信号がＣＤ−Ｒに記録される。ここで使用者は、１曲分の記録が終了する前に音楽ソースをＣＤプレーヤからＭＤプレーヤへと切り換えてしまうのである。
【０００６】
従って、ＣＤ−Ｒに録音される曲は、ＣＤプレーヤによって再生された曲から、ＭＤプレーヤによって再生された曲に移行するものの、両曲は共に曲の途中である。すなわち、その曲間には所定期間以上の無音区間が存在しない可能性が高くなるのである。
よって、このようなダビング動作を実施すると、後者の曲には曲番号を示すトラックナンバーが付されないという問題が発生する。
【０００７】
【発明が解決しようとする課題】
本発明はかかる問題を解決すべくなされたものであり、ダビング中に音楽ソースが他の音楽ソースに切り替わった場合においても、各曲毎に対応したトラックナンバーを記録媒体に記録することが出来る情報データ信号記録装置を提供することを目的とする。
【０００８】
【課題を解決するための手段】
本発明による情報データ信号記録装置は、ソース機器の種別を示すカテゴリコードが重畳されている情報データ信号を記録媒体に記録する情報データ信号記録装置であって、前記情報データ信号から前記カテゴリコードを随時抽出するカテゴリコード抽出手段と、前記カテゴリコード抽出手段によって抽出された前記カテゴリコードが変化した場合にトラックナンバーを１だけ増加せしめるトラックナンバー更新手段と、前記情報データ信号及び前記トラックナンバーを前記記録媒体に記録する記録手段とを有する。
【０００９】
【実施の形態】
図１に、本発明による情報データ信号記録装置としてのオーディオ信号記録装置の構成を示す。
図１において、エンコーダ２１は、先ず、例えばディジタルオーディオインターフェース(EIAJ CP-1201)規格に従った信号フォーマットにてソース側から供給されたディジタルオーディオ信号の取り込みを行う。かかる取り込みを行うにあたり、先ず、エンコーダ２１は、取込用クロック信号の周波数を、この供給されたディジタルオーディオ信号のサンプリング周波数に同期させる。この際、エンコーダ２１は、上記取込用クロック信号の周波数が上記ディジタルオーディオ信号のサンプリング周波数に同期している(以下、ロック状態と称する)間は論理レベル"１"、同期がはずれている(以下、アンロック状態と称する)間は論理レベル"０"のロック検出信号ＲＫを発生して、これをＣＰＵバス２２に送出する。すなわち、上記ロック状態であるということは、ソース側からディジタルオーディオ信号が供給されていることであり、アンロック状態であるということは、このディジタルオーディオ信号の供給が何らかの原因(後述する)によって途切れたことを意味する。
【００１０】
ここで、上述した如きロック状態になると、エンコーダ２１は、上記ディジタルオーディオ信号の取り込みを開始し、このディジタルオーディオ信号と、ＣＰＵバス２２から供給されたトラックナンバー信号ＴＮＯとを所定の記録変調処理を施して得た変調記録信号ＭＭを記録ユニット２３に供給する。
記録ユニット２３は、記録媒体としての記録ディスク２３ａ、記録ディスク２３ａを回転駆動せしめるスピンドルモータ２３ｂ、及び、上記変調記録信号ＭＭを記録ビーム光に変換してこれを記録ディスク２３ａに照射する光ヘッド２３ｃから構成される。光ヘッド２３ｃは、ＣＰＵバス２２を介してＣＰＵ３０から供給された記録開始命令ＲSTARTに応じて、変調記録信号ＭＭに基づく記録ビーム光を記録ディスク２３ａに照射開始する。かかる光ヘッド２３ｃから照射される記録ビーム光により、変調記録信号ＭＭに応じた記録ピットが記録ディスク２３ａの記録面上に形成される。すなわち、記録開始命令ＲSTARTに応じて記録ディスク２３ａに対する記録動作が開始され、このオーディオ信号記録装置は、いわゆるレコーディング状態となる。又、光ヘッド２３ｃは、ＣＰＵバス２２を介してＣＰＵ３０から供給された記録停止命令ＲSTOPに応じて上記記録ビーム光の照射を停止する。つまり、オーディオ信号記録装置は、そのレコーディング動作を停止するのである。
【００１１】
カテゴリコード抽出回路２４は、上述した如きディジタルオーディオインターフェース(EIAJ CP-1201)規格に従ったフォーマットにてソース側から供給されたディジタルオーディオ信号からカテゴリコードを抽出し、これをカテゴリコードＣＣとしてＣＰＵバス２２に送出する。
尚、カテゴリコードとは、このディジタルオーディオ信号を提供しているソース機器の種別を示すものであり、ディジタルオーディオインターフェースで送られてくるチャンネルステータスのビット８〜１４の７ビットで示され、例えば、
"１００００００"：ＣＤプレーヤ
"１００１００１"：ＭＤプレーヤ
である。
【００１２】
タイマ２５は、ＣＰＵバス２２から供給されたタイマスタート命令に応じて、所定の初期値(例えば"０")からカウント動作を開始し、そのカウント値Ｔを随時、ＣＰＵバス２２に送出する。操作装置２６は、使用者からの操作指示に応じた各種指令信号をＣＰＵバス２２に送出する。
ＲＯＭ（ReadOnly Memory）３１には、このオーディオ信号記録装置の動作を司るソフトウェアが予め記憶されている。ＣＰＵ（Central Processing Unit）３０は、かかるソフトウェアに基づくメイン制御フロー(説明せず)に従って、上述した如き各機能モジュールに対する動作制御を実行する。
【００１３】
かかるメイン制御フローの実行中において、オーディオ信号記録装置が前述した如きレコーディング状態にある際には、所定期間毎に曲間検出サブルーチン(図示せず)が実施される。かかる曲間検出サブルーチンでは、音楽ソースから供給されてきた上記ディジタルオーディオ信号中から所定期間以上の無音区間を検出した場合にこれを曲間とし、この曲間が検出された後に、再び有音区間が検出される度に上記トラックナンバー信号ＴＮＯを１だけ増加するのである。
【００１４】
更に、本発明においては、上記曲間検出サブルーチンの他に、図２に示されるが如き曲間サブ検出サブルーチンを実施する。尚、かかる曲間サブ検出サブルーチンも上記曲間検出サブルーチンと同様に、オーディオ信号記録装置が前述した如きレコーディング状態にある期間中において所定期間毎に実施されるものである。
この曲間サブ検出においては、先ず、ＣＰＵ３０は、エンコーダ２１から供給されたロック検出信号ＲＫを取り込み、その論理レベルに基づいてロック状態にあるか否かの判定を行う(ステップＳ１)。ステップＳ１において、ロック状態ではないと判定された場合、ＣＰＵ３０は、タイマースタート命令をＣＰＵバス２２を介してタイマ２５に供給する(ステップＳ２)。かかるステップＳ２の実行により、タイマ２５は、初期値"０"からカウント動作を開始し、そのカウント値Ｔを逐次、ＣＰＵバス２２に送出する。次に、ＣＰＵ３０は、かかるカウント値Ｔが所定カウント値Ｔ5よりも大であるか否かの判定を行う(ステップＳ３)。尚、所定カウント値Ｔ5とは、タイマ２５が初期値"０"からカウント動作を開始してから５秒経過した時点で到達するカウント値である。かかるステップＳ３において、タイマ２５のカウント値Ｔが所定カウント値Ｔ5よりも大であると判定された場合、ＣＰＵ３０は、記録動作停止命令ＲSTOPをＣＰＵバス２２に送出する(ステップＳ４)。かかるステップＳ４の実行により、光ヘッド２３ｃは、上記記録ビーム光の照射を停止する。つまり、オーディオ信号記録装置は、そのレコーディング動作を停止するのである。一方、上記ステップＳ３において、タイマ２５のカウント値Ｔが所定カウント値Ｔ5よりも小であると判定された場合、ＣＰＵ３０は、エンコーダ２１から供給されたロック検出信号ＲＫを取り込み、その論理レベルに基づいてロック状態にあるか否かの判定を行う(ステップＳ５)。かかるステップＳ５において、ロック状態ではない、すなわちアンロック状態であると判定された場合、ＣＰＵ３０は、上記ステップＳ３の実行に戻って、前述した如き動作を再び実行する。
【００１５】
すなわち、上記ステップＳ１においてアンロック状態にあると判定された場合、そのロックはずれの原因としては、
(A)ソース側からのディジタルオーディオ信号の供給が停止した
(B)一時的に信号ラインにノイズが重畳した
(C)ソースの切換が為された
等が考えられる。つまり、上記(A)〜(C)なる要因により、ソース側からのディジタルオーディオ信号の供給が途切れるのである。この際、上記(B)及び(C)なる原因の場合には、いずれロック状態に復帰することになるので、例え上記ステップＳ１においてアンロック状態であると判定されても、ステップＳ３及びＳ５を繰り返し実行することにより、ノイズやソース切り換え等の一時的なアンロック状態がロック状態に復帰するのに充分な時間である、例えば５秒間は記録動作を継続させる。尚、この間に限り、ＣＰＵ３０は、無音に対応したディジタルオーディオ信号をエンコーダ２１に供給する。この際、エンコーダ２１は、ソース側から供給されたディジタルオーディオ信号に代わり、上記ＣＰＵ３０から供給された無音に対応したディジタルオーディオ信号に対して前述した如き記録変調処理を施してこれを記録ユニット２３に供給する。従って、上記ステップＳ１においてアンロック状態であると判定されてから、ステップＳ３及びＳ５による繰り返し処理が為されている間は、記録ディスク２３ａには、無音に対応したディジタルオーディオ信号、並びに上記アンロック状態になる前のトラックナンバー信号ＴＮＯが引き続き記録されることになる。そして、この５秒間内にロック状態に復帰しなかった時だけ、ロックはずれの原因が上記(A)、すなわち、ソース側からのディジタルオーディオ信号の供給が停止したと判断して、ステップＳ４の実行に移行して記録動作を強制的に停止させるのである。
【００１６】
次に、上記ステップＳ１の段階でロック状態にあると判定された場合、又は、ステップＳ５の段階でそのロック状態が復帰したと判定された場合には、次に、ＣＰＵ３０は、カテゴリコード抽出回路２４からのカテゴリコードＣＣを取り込み、これが、前回取り込んだカテゴリコードＣＣとは異なるコードであるか否かを判定する(ステップＳ６)。ステップＳ６において、今回取り込んだカテゴリコードＣＣと、前回取り込んだカテゴリコードＣＣとが異なると判定された場合には、ＣＰＵ３０は、前回、ＣＰＵバス２２上に送出したトラックナンバー信号ＴＮＯに"１"を加算したものを新たなトラックナンバー信号ＴＮＯとし、これをＣＰＵバス２２を介してエンコーダ２１に供給する(ステップＳ７)。かかるステップＳ７の実行により、エンコーダ２１は、ソース側から供給された上記ディジタルオーディオ信号と、上述した如く更新されたトラックナンバー信号ＴＮＯとに所定の記録変調処理を施して得た変調記録信号ＭＭを記録ユニット２３に供給する。よって、この際、前回よりも"１"だけ増加されたトラックナンバー信号ＴＮＯが記録媒体としての記録ディスク２３ａに記録されるのである。
【００１７】
すなわち、レコーディング動作中に、ソース側から供給された上記ディジタルオーディオ信号に重畳されているカテゴリコードが変化した場合には、トラックナンバー信号ＴＮＯの更新を行うのである。
かかるステップＳ７又は上記ステップＳ４の終了後、更に、上記ステップＳ６において、今回取り込んだカテゴリコードＣＣと前回取り込んだカテゴリコードＣＣとが一致していると判定された場合には、図２に示されるルーチンを抜けて、前述した如きメイン制御フローの実行に戻る。
【００１８】
尚、上記実施例においては、上記ステップＳ６及びＳ７の実行により、カテゴリコードＣＣに変化があったか否かを判定し、変化があった場合にトラックナンバー信号ＴＮＯの更新を行い、これをエンコーダ２１に供給するようにしている。しかしながら、上述した如きカテゴリコードの判定及びエンコーダ２１への転送の各々に費やされる処理時間が長くなると、ソース切換時に供給されたディジタルオーディオ信号の先頭部よりも少し遅れた位置に、このディジタルオーディオ信号の曲番に対応したトラックナンバー信号ＴＮＯが記録されてしまう。従って、このように記録された記録媒体からトラックナンバーを用いた頭出しを行うと、曲の先頭部が一部欠けて再生されてしまう。
【００１９】
図３は、かかる問題点を解決すべく為された本発明の他の実施例によるオーディオ信号記録装置の構成を示す図である。
尚、図３においては、図１に示されるオーディオ信号記録装置にメモリ３２を設けたものである。
図３において、エンコーダ２１’は、先ず、ソース側から供給されたディジタルオーディオ信号の取り込みを行う。かかる取り込みを行うにあたり、先ず、エンコーダ２１は、取込用クロック信号の周波数をこの供給されたディジタルオーディオ信号のサンプリング周波数に同期させる。この際、エンコーダ２１’は、上記取込用クロック信号の周波数が上記ディジタルオーディオ信号のサンプリング周波数にロックしている間は論理レベル"１"、アンロック状態にある時は論理レベル"０"のロック検出信号ＲＫを発生して、これをＣＰＵバス２２に送出する。
【００２０】
ここで、上述した如きロック状態になると、エンコーダ２１’は上記ディジタルオーディオ信号の取り込みを開始し、このディジタルオーディオ信号を一旦、メモリ３２に書き込み、これを所定時間経過後に読み出す。エンコーダ２１’は、この読み出されたディジタルオーディオ信号と、ＣＰＵバス２２から供給されたトラックナンバー信号ＴＮＯとに所定の記録変調処理を施して得た変調記録信号ＭＭを記録ユニット２３に供給する。すなわち、メモリ３２によって、ソース側から供給されたディジタルオーディオ信号を上記所定時間だけ遅延した後に記録変調処理を施して変調記録信号ＭＭを得るのである。更に、ＣＰＵ３０は、ステップＳ７において上記トラックナンバー信号ＴＮＯの更新が行われたときに、この更新されたトラックナンバー信号ＴＮＯが変調記録信号ＭＭに反映されるタイミングと、上記メモリ３２によって遅延されたディジタルオーディオ信号が上記変調記録信号ＭＭに反映されるタイミングとが一致するように、上記更新されたトラックナンバー信号ＴＮＯをエンコーダ２１’に供給する。又は、カテゴリが変更された前後のディジタルオーディオ信号の切り替わるタイミングに対して、若干早めにこのトラックナンバー信号ＴＮＯが切り替わるように、ＣＰＵ３０が新たなトラックナンバー信号ＴＮＯをエンコーダ２１’に供給するようにする。
【００２１】
かかる構成によって記録された記録媒体からトラックナンバーを用いた頭出しを行えば、所望曲の先頭位置から確実に再生が開始されるようになるのである。
【００２２】
【発明の効果】
以上の如く、本発明においては、ソース側から供給された情報データ信号から上記ソース側機器の種別を示すカテゴリコードを抽出し、これが変化した場合にトラックナンバーの更新を行うようにしている。
よって、本発明による情報データ信号記録装置によれば、そのダビング中に音楽ソースが他の音楽ソースに切り替わった場合においても、各曲毎に対応したトラックナンバーを記録媒体に記録することが可能となる。
【図面の簡単な説明】
【図１】本発明による情報データ信号記録装置としてのオーディオ信号記録装置の構成を示す図である。
【図２】曲間サブ検出サブルーチンフローを示す図である。
【図３】本発明の他の実施例としてのオーディオ信号記録装置の構成を示す図である。
【主要部分の符号の説明】
２１  エンコーダ
２３  記録ユニット
２４  カテゴリコード抽出回路
２５  タイマ
３０  ＣＰＵ
【図１】
0003724625.tif 000002
【図２】
0003724625.tif 000003
【図３】
0003724625.tif 000004